(57)【要約】【課題】第１の記憶媒体と第２の記憶媒体とを有する記憶媒体ユニットの第１の記憶媒体に格納されたデータに関する管理を容易かつ適切に行なうことができる記録・再生装置を提供すること。【解決手段】ＬＴＯ用テープ駆動装置１００は、ＬＴＯテープドライブ１０３およびＩＣタグリーダライタ１０４を備え、磁気テープおよびＩＣタグ１１３を有するＬＴＯ１０２がＬＴＯ用テープ駆動装置１００の装填部１２２に装填されると、ＬＴＯテープドライブ１０３が、ＨＤＤ１１９から転送されたデータをＬＴＯ１０２の磁気テープに書き込み、ＩＣタグリーダライタ１０４が、ターゲット識別番号およびバックアップデータの内容などのデータ関連情報をＩＣタグ１１３に書き込む。【選択図】図１
2006323918.tif 000002
【特許請求の範囲】
【請求項１】
データの書き込みおよび読み出しが可能な第１の記憶媒体と、データの書き込みおよび読み出しが可能であり、該第１の記憶媒体と異なる種類の第２の記憶媒体とを有する記憶媒体ユニットに対して、データの書き込みおよび読み出しを行なう記録・再生装置であって、
前記記憶媒体ユニットが着脱自在に装填される装填部と、
前記装填部に前記記憶媒体ユニットが装填された状態で、その第１の記憶媒体に対して、データの書き込みおよび読み出しを行なう第１のＷ／Ｒ手段と、
前記装填部に前記記憶媒体ユニットが装填された状態で、その第２の記憶媒体に対して、データの書き込みおよび読み出しを行なう第２のＷ／Ｒ手段とを備えることを特徴とする記録・再生装置。
【請求項２】
当該記録・再生装置は、ケーシングを有し、
前記第１のＷ／Ｒ手段および前記第２のＷ／Ｒ手段は、前記ケーシングの内部に設置されている請求項１に記載の記録・再生装置。
【請求項３】
前記第１の記憶媒体にデータを書き込む際、前記第２の記憶媒体に前記第１の記憶媒体に書き込まれるデータに関する情報を書き込むよう構成されている請求項１または２に記載の記録・再生装置。
【請求項４】
前記第１の記憶媒体に書き込まれるデータに関する情報には、前記データの内容、前記データの種類、前記データの書き込みを行なった日時、前記データの書き込みの際の処理時間および前記データが格納されていた記憶装置を特定する識別情報のうちの少なくとも１つが含まれる請求項３に記載の記録・再生装置。
【請求項５】
前記第１の記憶媒体にデータを書き込む際、前記第２の記憶媒体に前記第１の記憶媒体の残り記憶容量を示す情報を書き込むよう構成されている請求項１ないし４のいずれかに記載の記録・再生装置。
【請求項６】
当該記録・再生装置は、データの書き込みおよび読み出しが可能な第３の記憶媒体と、該第３の記憶媒体に対して、データの書き込みおよび読み出しを行なう第３のＷ／Ｒ手段とを有し、
前記第１の記憶媒体にデータを書き込む際、前記第３の記憶媒体に、前記記憶媒体ユニットと、前記第１の記憶媒体に書き込まれるデータに関する情報とを関連付ける情報を書き込むよう構成されている請求項１ないし５のいずれかに記載の記録・再生装置。
【請求項７】
前記記憶媒体ユニットを特定する識別情報は、その第２の記憶媒体に書き込まれている請求項１ないし６のいずれかに記載の記録・再生装置。
【請求項８】
前記第２の記憶媒体は、非接触型のＩＣメモリであり、
前記第２のＷ／Ｒ手段は、前記装填部に前記記憶媒体ユニットが装填された状態で、前記ＩＣメモリと通信可能なように該ＩＣメモリの近傍に設置されている請求項１ないし７のいずれかに記載の記録・再生装置。
【請求項９】
前記第２の記憶媒体は、接触型のＩＣメモリであり、
前記第２のＷ／Ｒ手段は、前記装填部に前記記憶媒体ユニットが装填された状態で、前記ＩＣメモリに対して互いの端子同士が接触する位置に設置されている請求項１ないし７のいずれかに記載の記録・再生装置。
【請求項１０】
前記第１の記憶媒体は、磁気記憶媒体である請求項１ないし９のいずれかに記載の記録・再生装置。
【請求項１１】
前記第１の記憶媒体は、ＬＴＯ規格に適合する磁気テープである請求項１ないし１０のいずれかに記載の記録・再生装置。
【請求項１２】
前記記憶媒体ユニットの前記装填部への装填状態を検出する検出手段を有する請求項１ないし１１のいずれかに記載の記録・再生装置。
【発明の詳細な説明】
【技術分野】
【０００１】
本発明は、記録・再生装置に関する。
【背景技術】
【０００２】
以前より、防災やセキュリティの観点から、コンピュータが備えるＨＤＤ（Hard Disk Drive）等の記憶装置に格納（記憶）されたデータを外部のバックアップ用記憶媒体に格納するバックアップ技術が重要視されている。一方、近年、ＨＤＤの記憶容量は増加の一途をたどり、これに伴い、ＨＤＤが格納するデータの量も増加している。そのため、大容量かつデータ転送速度が大きいバックアップ用記憶媒体に対する需要が高まっている。
【０００３】
このようなバックアップ用記憶媒体としては、磁気テープ（磁気テープ型の記憶媒体）、例えば、ＬＴＯ（Linear Tape Open）と呼ばれる規格に適合した磁気テープ（磁気テープ型の記憶媒体）（以下、「ＬＴＯ」と言う）等が知られている（例えば、非特許文献１参照）。ＬＴＯは、ロール状に巻かれた磁気テープと、その磁気テープを収容する筐体状のケースとを備え、例えば、２００Ｇバイト〜３．２Ｔバイト程度のデータを格納することができる。
【０００４】
また、ＬＴＯ用テープ駆動装置は、ＬＴＯの磁気テープに対してデータの書き込みおよび読み出しを行うヘッドを備える。また、このＬＴＯ用テープ駆動装置は、ＨＤＤに接続され、ＨＤＤに格納されたデータをＬＴＯの磁気テープに転送し、上記磁気テープに記録されたデータをＨＤＤやその他の装置に転送する。このときのデータ転送速度は、例えば、３０〜３２０Ｍバイト／秒程度である。
【０００５】
ところで、複数のＬＴＯが存在する場合、各ＬＴＯの外観は同じであり、ＬＴＯの外観のみに基づいて他のＬＴＯと区別するのは困難である。そこで、各ＬＴＯのケースには、それぞれ、そのＬＴＯのラベル番号を示す情報を担持するバーコードが印刷されたバーコードラベルが貼り付けられている。ユーザは、バーコードリーダなどによってＬＴＯのラベル番号を読み取り、他のＬＴＯと区別する。
【０００６】
【非特許文献１】荒木学、“最新の磁気媒体規格とその課題”、[online]、平成１４年１２月１８日、社団法人情報処理学会情報企画調査会、[平成１７年４月２５日検索]、インターネット（URL: http://www.itscj.ipsj.or.jp/tutorials/tu56.html）
【発明の開示】
【発明が解決しようとする課題】
【０００７】
ここで、例えば、ＬＴＯのラベル番号と、そのＬＴＯにＨＤＤから転送され、書き込まれたデータとを、外部のデータベースにおいて関連付け、管理する方法が考えらえる。ユーザは、ＬＴＯのラベル番号をバーコードによって読み取り、その読み取ったラベル番号およびデータベースに基づいて、当該ＬＴＯにどのようなデータが格納されているかを調べる。
【０００８】
しかしながら、データベースを収容したコンピュータが遠隔地にある等、ユーザがデータベースを利用することができない場合、ユーザはＬＴＯにどのようなデータが格納されているかを知ることができず、また、ＬＴＯにＨＤＤから新たなデータを書き込み、若しくはＬＴＯが格納したデータを消去するなどＬＴＯに格納されたデータを更新したとき、データベースにおける関連付けを更新することができない。すなわち、ＬＴＯに格納されたデータに関する管理を適切に行うことができないという問題がある。
【０００９】
本発明の目的は、第１の記憶媒体と第２の記憶媒体とを有する記憶媒体ユニットの第１の記憶媒体に格納されたデータに関する管理を容易かつ適切に行うことができる記録・再生装置を提供することにある。
【課題を解決するための手段】
【００１０】
このような目的は、下記（１）〜（１２）の本発明により達成される。
（１）  データの書き込みおよび読み出しが可能な第１の記憶媒体と、データの書き込みおよび読み出しが可能であり、該第１の記憶媒体と異なる種類の第２の記憶媒体とを有する記憶媒体ユニットに対して、データの書き込みおよび読み出しを行なう記録・再生装置であって、
前記記憶媒体ユニットが着脱自在に装填される装填部と、
前記装填部に前記記憶媒体ユニットが装填された状態で、その第１の記憶媒体に対して、データの書き込みおよび読み出しを行なう第１のＷ／Ｒ手段と、
前記装填部に前記記憶媒体ユニットが装填された状態で、その第２の記憶媒体に対して、データの書き込みおよび読み出しを行なう第２のＷ／Ｒ手段とを備えることを特徴とする記録・再生装置。
【００１１】
（２）  当該記録・再生装置は、ケーシングを有し、
前記第１のＷ／Ｒ手段および前記第２のＷ／Ｒ手段は、前記ケーシングの内部に設置されている上記（１）に記載の記録・再生装置。
【００１２】
（３）  前記第１の記憶媒体にデータを書き込む際、前記第２の記憶媒体に前記第１の記憶媒体に書き込まれるデータに関する情報を書き込むよう構成されている上記（１）または（２）に記載の記録・再生装置。
【００１３】
（４）  前記第１の記憶媒体に書き込まれるデータに関する情報には、前記データの内容、前記データの種類、前記データの書き込みを行なった日時、前記データの書き込みの際の処理時間および前記データが格納されていた記憶装置を特定する識別情報のうちの少なくとも１つが含まれる上記（３）に記載の記録・再生装置。
【００１４】
（５）  前記第１の記憶媒体にデータを書き込む際、前記第２の記憶媒体に前記第１の記憶媒体の残り記憶容量を示す情報を書き込むよう構成されている上記（１）ないし（４）のいずれかに記載の記録・再生装置。
【００１５】
（６）  当該記録・再生装置は、データの書き込みおよび読み出しが可能な第３の記憶媒体と、該第３の記憶媒体に対して、データの書き込みおよび読み出しを行なう第３のＷ／Ｒ手段とを有し、
前記第１の記憶媒体にデータを書き込む際、前記第３の記憶媒体に、前記記憶媒体ユニットと、前記第１の記憶媒体に書き込まれるデータに関する情報とを関連付ける情報を書き込むよう構成されている上記（１）ないし（５）のいずれかに記載の記録・再生装置。
【００１６】
（７）  前記記憶媒体ユニットを特定する識別情報は、その第２の記憶媒体に書き込まれている上記（１）ないし（６）のいずれかに記載の記録・再生装置。
【００１７】
（８）  前記第２の記憶媒体は、非接触型のＩＣメモリであり、
前記第２のＷ／Ｒ手段は、前記装填部に前記記憶媒体ユニットが装填された状態で、前記ＩＣメモリと通信可能なように該ＩＣメモリの近傍に設置されている上記（１）ないし（７）のいずれかに記載の記録・再生装置。
【００１８】
（９）  前記第２の記憶媒体は、接触型のＩＣメモリであり、
前記第２のＷ／Ｒ手段は、前記装填部に前記記憶媒体ユニットが装填された状態で、前記ＩＣメモリに対して互いの端子同士が接触する位置に設置されている上記（１）ないし（７）のいずれかに記載の記録・再生装置。
【００１９】
（１０）  前記第１の記憶媒体は、磁気記憶媒体である上記（１）ないし（９）のいずれかに記載の記録・再生装置。
【００２０】
（１１）  前記第１の記憶媒体は、ＬＴＯ規格に適合する磁気テープである上記（１）ないし（１０）のいずれかに記載の記録・再生装置。
【００２１】
（１２）  前記記憶媒体ユニットの前記装填部への装填状態を検出する検出手段を有する上記（１）ないし（１１）のいずれかに記載の記録・再生装置。
【発明の効果】
【００２２】
本発明によれば、第１の記憶媒体と第２の記憶媒体とを有する記憶媒体ユニットが装填部に装填された状態で、第１の記憶媒体および第２の記憶媒体のそれぞれに対して、データの書き込みおよび読み出しを行なうことができる。
【００２３】
また、第１の記憶媒体にデータを書き込む際、第２の記憶媒体に第１の記憶媒体に書き込まれるデータに関する情報を書き込むことができ、これにより、記憶媒体ユニットの第１の記憶媒体に格納されたデータおよびそのデータに関する情報を一元的に管理することができ、記憶媒体ユニットの第１の記憶媒体に格納されたデータに関する管理を容易かつ適切に行なうことができる。
【発明を実施するための最良の形態】
【００２４】
以下、本発明の記録・再生装置を添付図面に示す好適実施形態に基づいて詳細に説明する。
【００２５】
なお、下記の実施形態では、記録・再生装置をＬＴＯ用テープ駆動装置に適用し、記憶媒体ユニットをデータのバックアップ用記憶媒体として用いる場合を例に挙げて説明する。
【００２６】
図１は、本発明の記録・再生装置の実施形態を示す斜視断面図、図２は、図１に示す記録・再生装置のブロック図である。
【００２７】
これらの図に示すＬＴＯ用テープ駆動装置（記録・再生装置）１００は、ＬＴＯ（Linear Tape Open）と呼ばれる規格に適合した磁気テープ（磁気テープ型の記憶媒体）、すなわち、ＬＴＯ（記憶媒体ユニット）１０２に対して、データ（情報）の書き込み（記憶）および読み出し（再生）を行なう装置である。
【００２８】
ＬＴＯ１０２は、データの書き込みおよび読み出しが可能な第１の記憶媒体であるロール状に巻かれた磁気テープ（磁気記憶媒体）（磁気記録媒体）（図示せず）と、その磁気テープを収容する筐体状のケース１１１とを有している。ケース１１１の上面には、バーコードラベル１１２と、データの書き込みおよび読み出しが可能な第２の記憶媒体であるＩＣ（Integrated Circuit）タグ（非接触型のＩＣメモリ）１１３とが設けられている。
【００２９】
また、このＬＴＯ１０２を特定する識別情報は、そのＩＣタグ１１３に書き込まれている。この場合、前記識別情報は、例えば、工場出荷時に、ＩＣタグ１１３に書き込むことができる。
【００３０】
なお、本発明では、ＩＣタグ１１３に代えて、例えば、接触型のＩＣメモリが設けられていてもよい。
【００３１】
ＬＴＯ用テープ駆動装置１００は、筐体状のケーシング１０１と、ＬＴＯ１０２の磁気テープに対して、データの書き込みおよび読み出しを行なうＬＴＯテープドライブ（第１のＷ／Ｒ手段）１０３と、ＬＴＯ１０２のＩＣタグ１１３に対して、データの書き込みおよび読み出しを行なうＩＣタグリーダライタ（第２のＷ／Ｒ手段）１０４と、ＬＴＯ１０２のバーコードラベル１１２のバーコードが担持する情報を読み取るバーコードリーダ１０５と、記憶部１０６と、タッチセンサ（検出手段）１２１と、各構成要素（各部）の駆動（動作）を制御する制御手段であるＣＰＵ（Central Processing Unit）１０７と、各構成要素を接続するＩ／Ｏバス１０９とを備える。ＬＴＯテープドライブ１０３、ＩＣタグリーダライタ１０４、バーコードリーダ１０５、記憶部１０６、タッチセンサ１２１、ＣＰＵ１０７およびＩ／Ｏバス１０９は、それぞれ、ケーシング１０１の内部に設置（内蔵）されている。
【００３２】
このＬＴＯ用テープ駆動装置１００は、ＵＳＢ（Universal Serial Bus）１１０を介して、後述するＰＣシステム１０８と接続されている。
【００３３】
ＰＣ（Personal Computer）システム１０８は、ＰＣ１１６、ディスプレイ１１４、キーボード１１５およびマウス（図示せず）を有しており、ＰＣ１１６には、記憶装置であるＨＤＤ（Hard Disk Drive）１１９が内蔵されている。このＨＤＤ１１９に格納されているデータが、ＬＴＯ１０２の磁気テープに書き込まれ、バックアップされる。
【００３４】
ＬＴＯテープドライブ１０３は、ケーシング１０１内に設置されている。また、ケーシング１０１の側面には、略長方形の開口部であるＬＴＯ挿入孔１１７が形成されている。ＬＴＯ１０２は、そのＬＴＯ挿入孔１１７を介してケーシング１０１内へ挿入され、ＬＴＯテープドライブ１０３に設けられている装填部１２２に着脱自在に装填（収容）される。
【００３５】
ＬＴＯテープドライブ１０３は、データの読み書きヘッド１１８を有しており、装填部１２２にＬＴＯ１０２が装填された状態で、ＬＴＯテープドライブ１０３により、その磁気テープに対して、データの書き込みおよび読み出しを行なうことができる。
【００３６】
ＬＴＯテープドライブ１０３は、バックアップデータ等の所定のデータのＬＴＯ１０２の磁気テープへの書き込みやその磁気テープからの読み出しを行なう。
【００３７】
ＩＣタグリーダライタ１０４は、装填部１２２に装填されたＬＴＯ１０２のＩＣタグ１１３に対向するように、ケーシング１０１内に設置されている。
【００３８】
すなわち、ＩＣタグリーダライタ１０４は、装填部１２２にＬＴＯ１０２が装填された状態で、そのＩＣタグ１１３と通信可能（送受信可能）なように、ＩＣタグ１１３の近傍に設置されている。これによって、装填部１２２にＬＴＯ１０２が装填された状態で、ＩＣタグリーダライタ１０４により、そのＩＣタグ１１３に対して、データの書き込みおよび読み出しを行なうことができる。
【００３９】
ＩＣタグリーダライタ１０４は、後述するデータ関連情報等の所定のデータのＩＣタグ１１３への書き込みやＩＣタグ１１３からの読み出しを行なう。
【００４０】
なお、ＩＣタグ１１３に代えて、接触型のＩＣメモリが設けられている場合は、ＩＣタグリーダライタ１０４に代えて、その接触型のＩＣメモリに対してデータの書き込みおよび読み出しを行なうＩＣメモリリーダライタ（第２のＷ／Ｒ手段）を設ける。この場合、前記ＩＣメモリリーダライタ（第２のＷ／Ｒ手段）は、装填部１２２にＬＴＯ１０２が装填された状態で、そのＩＣメモリに対して互いの端子同士が接触（電気的に接続）する位置に設置される。これによって、装填部１２２にＬＴＯ１０２が装填された状態で、ＩＣメモリリーダライタにより、そのＩＣメモリに対して、データの書き込みおよび読み出しを行なうことができる。
【００４１】
バーコードリーダ１０５は、装填部１２２に装填されたＬＴＯ１０２のバーコードラベル１１２に対向するように、ケーシング１０１内に設置されている。これによって、装填部１２２にＬＴＯ１０２が装填された状態で、バーコードリーダ１０５により、そのバーコードラベル１１２に対して、データの読み出しを行なうことができる。
【００４２】
バーコードリーダ１０５は、バーコードラベル１１２のバーコードが担持するＬＴＯ１０２のラベル番号（ラベル情報）を読み取る。
【００４３】
タッチセンサ１２１は、ケーシング１０１内の装填部１２２の近傍に設置されており、ＬＴＯ１０２の装填部１２２への装填状態を検出する。すなわち、タッチセンサ１２１は、ＬＴＯ１０２が装填部１２２へ装填されているとき（装填状態のとき）、オンし、ＬＴＯ１０２が装填部１２２へ装填されていないとき（非装填状態のとき）、オフする。このタッチセンサ１２１からの信号（検出結果）は、ＣＰＵ１０７に入力され、ＣＰＵ１０７は、その検出結果に基づいて、所定の処理（駆動制御）を行なう。
【００４４】
記憶部１０６は、例えば、ＲＯＭ、ＲＡＭ、ＥＰＲＯＭ、ＥＥＰＲＯＭ、フラッシュメモリなどの半導体メモリや、ＨＤＤなどで構成される。この記憶部１０６には、ＬＴＯ用テープ駆動装置１００のファームウェアとしての各種プログラムが格納され、ＣＰＵ１０７は、記憶部１０６に格納された各種プログラムに応じてＬＴＯテープドライブ１０３、ＩＣタグリーダライタ１０４およびバーコードリーダ１０５など、ＬＴＯ用テープ駆動装置１００全体の駆動（動作）を制御する。
【００４５】
なお、記憶部１０６により、データの書き込みおよび読み出しが可能な第３の記憶媒体と、この第３の記憶媒体に対して、データの書き込みおよび読み出しを行なう第３のＷ／Ｒ手段とが構成される。
【００４６】
このＬＴＯ用テープ駆動装置１００は、ＨＤＤ１１９から読み出されて転送されたデータ（以下、「バックアップデータ」と言う）をＬＴＯ１０２の磁気テープへ書き込む（格納する）ことにより、ＨＤＤ１１９が格納しているデータのバックアップを行うが、この際、ＬＴＯ１０２にはバックアップデータだけでなく、そのデータに関する情報（以下、「データ関連情報」と言う）も書き込まれる（格納される）。具体的には、ＬＴＯ１０２の磁気テープにバックアップデータを書き込む（格納する）とともに、ＩＣタグ１１３にデータ関連情報を書き込む（格納する）。なお、書き込みには、書き換えも含まれることは、言うまでもない。
【００４７】
データ関連情報としては、例えば、バックアップデータの内容、すなわちバックアップデータの内容を特定する識別情報と、バックアップデータの種類、すなわちバックアップデータの種類を特定する識別情報と、バックアップデータの書き込みを行なった日時、すなわちバックアップデータの書き込みを行なった日時を特定する識別情報と、バックアップデータの書き込みの際の処理時間（バックアップに要した時間）、すなわちバックアップデータの書き込みの際の処理時間を特定する識別情報と、バックアップデータが格納されていたＨＤＤ（記憶装置）１１９（バックアップ時にＬＴＯ用テープ駆動装置１００に接続されているＨＤＤ１１９）を特定する識別番号（以下、「ターゲット識別番号」と言う）（識別情報）などが挙げられ、これらのうちの少なくとも１つがＩＣタグ１１３に格納される。この場合、ＩＣタグ１１３に格納されるデータ関連情報には、バックアップデータの内容が含まれるのが好ましい。
【００４８】
また、ＬＴＯ１０２の磁気テープにバックアップデータを格納する際は、ＩＣタグ１１３に、例えば、その磁気テープの残り記憶容量を示す情報（以下、「残り記憶容量情報」と言う）（磁気テープの属性情報）が書き込まれる。
【００４９】
また、ＬＴＯ１０２の磁気テープにバックアップデータを格納する際は、記憶部１０６に、例えば、ＬＴＯ１０２と、データ関連情報や磁気テープの属性情報とを関連付ける情報（関連付情報）が書き込まれる。
【００５０】
ＬＴＯ１０２のＩＣタグ１１３は、極小のＩＣチップが組み込まれた電子荷札（電子素子）であって、アンテナを備え、ＩＣタグリーダライタ１０４などと無線で通信を行う。このＩＣタグ１１３は、例えば、ＩＣタグリーダライタ１０４からの問い合わせ（指令）に応じて、格納しているデータ関連情報および残り記憶容量情報などを発信（送信）する。
【００５１】
なお、ＩＣタグ１１３と交信（通信）可能な装置は、ＬＴＯ用テープ駆動装置１００のＩＣタグリーダライタ１０４に限られず、例えば、ＬＴＯ用テープ駆動装置１００が配置された場所（位置）とは異なる場所に配置されたＩＣタグリーダライタなども該当する。具体例としては、複数のＬＴＯ１０２がまとめて収納（保管）されているＬＴＯ管理庫（図示せず）に設けられたＩＣタグリーダライタなどが挙げられる。ＩＣタグ１１３に格納されているデータ関連情報などは、ＬＴＯ用テープ駆動装置１００が配置された場所以外の場所に設置されている他のＩＣタグリーダライタによっても、ＩＣタグ１１３から読み出すことができる。
【００５２】
次に、ＬＴＯ用テープ駆動装置１００の作用（動作）について、そのＬＴＯ用テープ駆動装置１００において実行されるデータ書き込み処理およびデータ読み出し処理を説明する。これらの処理（駆動制御）は、それぞれ、記憶部１０６に格納されているプログラムに応じてＣＰＵ１０７が実行する。
【００５３】
図３は、図１示す記録・再生装置のデータ書き込み処理を示すフローチャート、図４は、図１示す記録・再生装置のデータ読み出し処理を示すフローチャートである。
【００５４】
まず、ＬＴＯ１０２の磁気テープへバックアップデータを書き込む際に実行されるデータ書き込み処理を説明する。
【００５５】
図３に示すように、まず、タッチセンサ１２１がオンか否かを判別し（ステップＳ３１）、タッチセンサ１２１がオンの場合は、装填部１２２にＬＴＯ１０２が装填された状態にあり、ステップＳ３２へ移行する。
【００５６】
次いで、バーコードリーダ１０５により、ＬＴＯ１０２のバーコードラベル１１２のバーコードに担持されたラベル番号（ラベル情報）を読み取る（ステップＳ３２）。
【００５７】
次いで、ＩＣタグリーダライタ１０４により、ＩＣタグ１１３に格納されているデータ関連情報および残り記憶容量情報（磁気テープの属性情報）をそのＩＣタグ１１３から読み出し（ステップＳ３３）、ＬＴＯ１０２の磁気テープに、書き込むべきバックアップデータを書き込むことができるだけの空き容量があるか否かを判別し（ステップＳ３４）、空き容量がない場合は、本処理を終了し、空き容量がある場合は、ステップＳ３５へ移行する。なお、読み出されたデータ関連情報および残り記憶容量情報（磁気テープの属性情報）は、ディスプレイ１１４に表示される。
【００５８】
次いで、ＬＴＯテープドライブ１０３により、バックアップデータをＬＴＯ１０２の磁気テープに書き込む（ステップＳ３５）。
【００５９】
次いで、ＩＣタグリーダライタ１０４により、例えば、ターゲット識別番号、バックアップデータの内容などのデータ関連情報および残り記憶容量情報をＩＣタグ１１３に書き込む（ステップＳ３６）。
【００６０】
次いで、ラベル番号（ラベル情報）やＬＴＯ１０２を特定する識別情報と、データ関連情報や残り記憶容量情報（磁気テープの属性情報）とを関連付ける情報（関連付情報）を、記憶部１０６や外部のデータベースに格納し（ステップＳ３７）、本処理を終了する。
【００６１】
次に、ＬＴＯ１０２の磁気テープからバックアップデータを読み出す際に実行されるデータ読み出し処理を説明する。
【００６２】
図４に示すように、まず、タッチセンサ１２１がオンか否かを判別し（ステップＳ４１）、タッチセンサ１２１がオンの場合は、装填部１２２にＬＴＯ１０２が装填された状態にあり、ステップＳ４２へ移行する。
【００６３】
次いで、バーコードリーダ１０５により、ＬＴＯ１０２のバーコードラベル１１２のバーコードに担持されたラベル番号（ラベル情報）を読み取る（ステップＳ４２）。
【００６４】
次いで、ＩＣタグリーダライタ１０４により、ＩＣタグ１１３に格納されているデータ関連情報および残り記憶容量情報（磁気テープの属性情報）をそのＩＣタグ１１３から読み出す（ステップＳ４３）。なお、読み出されたデータ関連情報および残り記憶容量情報（磁気テープの属性情報）は、ディスプレイ１１４に表示される。
【００６５】
次いで、ＬＴＯテープドライブ１０３により、ＬＴＯ１０２の磁気テープに格納されているバックアップデータをその磁気テープから読み出す（ステップＳ４４）。
【００６６】
次いで、読み出したバックアップデータを所定の記憶装置に転送し（ステップＳ４５）、本処理を終了する。前記記憶装置には、そのバックアップデータが格納される。
【００６７】
以上説明したように、このＬＴＯ用テープ駆動装置１００によれば、ＬＴＯ１０２が装填部１２２に装填された状態で、ＬＴＯ１０２の磁気テープおよびＩＣタグ１１３のそれぞれに対して、データの書き込みおよび読み出しを行なうことができる。
【００６８】
特に、バックアップデータを磁気テープに書き込む際、データ関連情報や残り記憶容量情報（磁気テープの属性情報）をＩＣタグ１１３に書き込むことができ、これにより、ＬＴＯ１０２に格納された、バックアップデータおよびデータ関連情報を一元的に管理することができ、ＬＴＯ１０２の磁気テープに格納されたバックアップデータ（データ）に関する管理を容易かつ適切に行なうことができる。
【００６９】
また、ＬＴＯ１０２のＩＣタグ１１３にデータ関連情報が書き込まれるので、ＬＴＯ１０２がＬＴＯ用テープ駆動装置１００の配置場所以外の場所、例えば、ＬＴＯ管理庫などに配置されていても、当該場所においてデータ関連情報を読み出すことができ、もって、ＬＴＯ管理庫において所望のバックアップデータが格納されているＬＴＯ１０２を容易に見つけ出すことができる。
【００７０】
さらに、ＩＣタグ１１３にデータ関連情報が書き込まれるので、ＩＣタグリーダライタ１０４とは別のＩＣタグリーダライタによってもデータ関連情報を読み出すことができ、例えば、ＬＴＯ管理庫がＩＣタグリーダライタを備える場合、ＬＴＯ１０２を出入庫する際に、そのＩＣタグリーダライタがＩＣタグ１１３に問い合わせを行い、出入庫されるＬＴＯ１０２のデータ関連情報を読み出し、記録することができ、これにより、ＬＴＯ１０２の出入庫管理を容易かつ確実に行うことができ、バックアップデータに関するセキュリティを向上させることができる。
【００７１】
また、ＩＣタグ１１３に書き込まれたデータ関連情報には、ターゲット識別番号が含まれるので、バックアップデータの内容（バックアップデータ自体）ではなく、そのターゲット識別番号に基づいて所望のバックアップデータが格納されているＬＴＯ１０２を見つけ出すことができ、ユーザの利便性を向上させることができる。
【００７２】
また、ＬＴＯ１０２がＬＴＯ用テープ駆動装置１００の装填部１２２に装填され、ＬＴＯ１０２をユーザが目視できない場合であっても、ＬＴＯ用テープ駆動装置１００のＩＣタグリーダライタ１０４がＩＣタグ１１３に格納されたデータ関連情報を読み出すことによって、ユーザはＬＴＯ１０２の磁気テープに格納されたバックアップデータの内容を知ることができ、もって、ユーザの利便性をさらに向上させることができる。また、このとき、ＬＴＯ１０２の磁気テープに書き込まれたバックアップデータを読み出すことなく、迅速にバックアップデータの内容を知ることができる。
【００７３】
さらに、ラベル番号（ラベル情報）やＬＴＯ１０２を特定する識別情報と、データ関連情報や残り記憶容量情報（磁気テープの属性情報）とを関連付ける情報（関連付情報）が、記憶部１０６や外部のデータベースに格納されるので、ＬＴＯ１０２のＩＣタグ１１３が故障するなどしてデータ関連情報を読み出すことができなくなった場合でも、その記憶部１０６やデータベースから関連付情報を読み出し、その関連付情報に基づいて所望のバックアップデータが格納されているＬＴＯ１０２を見つけ出すことができ、ユーザの利便性を向上させることができる。
【００７４】
以上、本発明の記録・再生装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【００７５】
また、前記実施形態では、ＬＴＯ用テープ駆動装置１００が、ＨＤＤ１１９から転送されたデータ（バックアップデータ）をＬＴＯ１０２の磁気テープへ書き込むことにより、ＨＤＤ１１９が格納しているデータのバックアップを行う場合を例に挙げて説明したが、本発明の記録・再生装置の用途は、これに限定されるものではない。
【００７６】
また、本発明では、第１の記憶媒体は、ＬＴＯ１０２の磁気テープに限らず、例えば、磁気ディスク等の他の形態の磁気記憶媒体（磁気記録媒体）、ＣＤ／ＲＷやＤＶＤ等の光記憶媒体（光記録媒体）、光磁気記憶媒体（光磁気記録媒体）等であってもよい。同様に、本発明では、第２の記憶媒体は、ＩＣタグ（非接触型のＩＣメモリ）１１３や接触型のＩＣメモリには限定されない。
【図面の簡単な説明】
【００７７】
【図１】本発明の記録・再生装置の実施形態を示す斜視断面図である。
【図２】図１示す記録・再生装置のブロック図である。
【図３】図１示す記録・再生装置のデータ書き込み処理を示すフローチャートである。
【図４】図１示す記録・再生装置のデータ読み出し処理を示すフローチャートである。
【符号の説明】
【００７８】
１００          ＬＴＯ用テープ駆動装置
１０１          ケーシング
１０２          ＬＴＯ
１０３          ＬＴＯテープドライブ
１０４          ＩＣタグリーダライタ
１０５          バーコードリーダ
１０６          記憶部
１０７          ＣＰＵ
１０８          ＰＣシステム
１０９          Ｉ／Ｏバス
１１０          ＵＳＢ
１１１          ケース
１１２          バーコードラベル
１１３          ＩＣタグ
１１４          ディスプレイ
１１５          キーボード
１１６          ＰＣ
１１７          ＬＴＯ挿入孔
１１８          読み書きヘッド
１１９          ＨＤＤ
１２１          タッチセンサ
１２２          装填部
Ｓ３１〜Ｓ３７  ステップ
Ｓ４１〜Ｓ４５  ステップ
【図１】
2006323918.tif 000003
【図２】
2006323918.tif 000004
【図３】
2006323918.tif 000005
【図４】
2006323918.tif 000006